(57)【要約】【課題】エア供給管路が上方側から垂れ下がるように配される場合における作業性を向上し得る補助パイプ部材及びこれを備えたエア工具並びにエア工具を提供する。【解決手段】握り部１１の先側にエア駆動される作動部１８を有し、前記握り部の基端側にエア導入口となる接続部１３を設けた工具本体１０の接続部に接続される補助パイプ部材２０であって、長手方向第１端部には、前記接続部に接続される被接続部２２が設けられ、長手方向第２端部には、エア供給管路２が接続される管路接続部２３が設けられており、該管路接続部が前記握り部よりも先側に配された状態で、途中部位を前記工具本体に固定する固定部２４を備えている。【選択図】図１
2019018302.tif 000002
【特許請求の範囲】
【請求項１】
握り部の先側にエア駆動される作動部を有し、前記握り部の基端側にエア導入口となる接続部を設けた工具本体の接続部に接続される補助パイプ部材であって、
長手方向第１端部には、前記接続部に接続される被接続部が設けられ、長手方向第２端部には、エア供給管路が接続される管路接続部が設けられており、該管路接続部が前記握り部よりも先側に配された状態で、途中部位を前記工具本体に固定する固定部を備えていることを特徴とする補助パイプ部材。
【請求項２】
請求項１において、
前記固定部は、当該補助パイプ部材及び前記工具本体のうちの一方に設けられた磁石と、他方に設けられた吸着部と、を備えていることを特徴とする補助パイプ部材。
【請求項３】
握り部の先側にエア駆動される作動部を有し、前記握り部の基端側にエア導入口となる接続部を設けた工具本体と、請求項１または２に記載の補助パイプ部材と、を備えていることを特徴とするエア工具。
【請求項４】
握り部と、この握り部の先側に設けられエア駆動される作動部を有した本体部と、を備えており、
前記本体部には、エア供給管路が接続される接続部が前記握り部よりも先側に位置するように設けられていることを特徴とするエア工具。
【請求項５】
請求項４において、
前記作動部は、針及び釘のうちの一方を打ち出す構成とされており、
前記接続部は、前記作動部の打出方向逆側に位置するように設けられていることを特徴とするエア工具。
【発明の詳細な説明】
【技術分野】
【０００１】
本発明は、補助パイプ部材及びこれを備えたエア工具並びにエア工具に関する。
【背景技術】
【０００２】
従来より、圧縮エアを駆動源として作動する釘打機やエアタッカー、エアドライバー、切削機、研磨機等のエア（空圧）工具が知られている。このようなエア工具には、圧縮エア源に接続され、圧縮エアを供給するホース（管路）が接続される接続部が設けられている。
例えば、下記特許文献１には、エア工具にエアホースのソケットを接続し、エアホースの途中部に、作業者に対して着脱可能に固定する固定部を設けた構成の開示がある。
【先行技術文献】
【特許文献】
【０００３】
【特許文献１】特開２００９−４５７３３号公報
【発明の概要】
【発明が解決しようとする課題】
【０００４】
しかしながら、上記特許文献１に記載されたものでは、エア工具の握り部の基端（グリップエンド）側にエアホースが接続される。そのため、例えば、作業者の上方側からエアホースが垂れ下がるように配される場合などには、握り部の基端側から引き上げられるように配されたエアホースによって作業性が阻害される懸念がある。
【０００５】
本発明は、上記実情に鑑みてなされたものであり、エア供給管路が上方側から垂れ下がるように配される場合における作業性を向上し得る補助パイプ部材及びこれを備えたエア工具並びにエア工具を提供することを目的としている。
【課題を解決するための手段】
【０００６】
上記目的を達成するために、本発明に係る補助パイプ部材は、握り部の先側にエア駆動される作動部を有し、前記握り部の基端側にエア導入口となる接続部を設けた工具本体の接続部に接続される補助パイプ部材であって、長手方向第１端部には、前記接続部に接続される被接続部が設けられ、長手方向第２端部には、エア供給管路が接続される管路接続部が設けられており、該管路接続部が前記握り部よりも先側に配された状態で、途中部位を前記工具本体に固定する固定部を備えていることを特徴とする。
【０００７】
また、上記目的を達成するために、本発明に係るエア工具は、握り部の先側にエア駆動される作動部を有し、前記握り部の基端側にエア導入口となる接続部を設けた工具本体と、本発明に係る補助パイプ部材と、を備えていることを特徴とする。
【０００８】
また、上記目的を達成するために、本発明に係るエア工具は、握り部と、この握り部の先側に設けられエア駆動される作動部を有した本体部と、を備えており、前記本体部には、エア供給管路が接続される接続部が前記握り部よりも先側に位置するように設けられていることを特徴とする。
【発明の効果】
【０００９】
本発明に係る補助パイプ部材及びこれを備えたエア工具並びにエア工具は、上述のような構成としたことで、エア供給管路が上方側から垂れ下がるように配される場合における作業性を向上させることができる。
【図面の簡単な説明】
【００１０】
【図１】（ａ）、（ｂ）は、本発明の一実施形態に係る補助パイプ部材の一例及びこれを備えたエア工具の一例を模式的に示し、（ａ）は、概略斜視図、（ｂ）は、概略側面図である。
【図２】概略分解斜視図である。
【図３】（ａ）、（ｂ）は、本発明の他の実施形態に係る補助パイプ部材の一例及びこれを備えたエア工具の一例を模式的に示し、（ａ）は、概略斜視図、（ｂ）は、概略側面図である。
【図４】（ａ）、（ｂ）は、本発明の更に他の実施形態に係る補助パイプ部材の一例及びこれを備えたエア工具の一例を模式的に示し、（ａ）は、概略斜視図、（ｂ）は、概略側面図である。
【図５】概略分解斜視図である。
【図６】（ａ）、（ｂ）は、本発明の更に他の実施形態に係る補助パイプ部材の一例及びこれを備えたエア工具の一例を模式的に示し、（ａ）は、概略斜視図、（ｂ）は、概略側面図である。
【図７】概略分解斜視図である。
【図８】（ａ）、（ｂ）は、本発明の更に他の実施形態に係るエア工具の一例を模式的に示し、（ａ）は、概略斜視図、（ｂ）は、概略側面図である。
【発明を実施するための形態】
【００１１】
以下に本発明の実施の形態について、図面に基づいて説明する。
なお、一部の図では、他図に付している符号の一部を省略している。
図１及び図２は、第１実施形態に係る補助パイプ部材及びこれを備えたエア工具の一例を模式的に示す図である。
【００１２】
本実施形態に係る補助パイプ部材２０は、図１及び図２に示すように、握り部１１の先側にエア駆動される作動部１８を有し、握り部１１の基端側にエア導入口となる接続部１３を設けた工具本体１０の接続部１３に接続される構成とされている。本実施形態に係るエア工具１は、本実施形態に係る補助パイプ部材２０と、この補助パイプ部材２０が接続される工具本体１０と、を備えている。工具本体１０は、接続部１３にエア供給管路２（図１（ｂ）参照）を接続すれば、エア工具（空圧工具）として使用可能な構成とされている。エア供給管路２は、エアコンプレッサーや高圧エアタンク等の圧縮エア源に接続される。
【００１３】
このようなエア工具を構成する工具本体１０としては、圧縮エア（高圧エア）を駆動源として作動する釘打機やエアタッカー、エアドライバー、切削機、研磨機等が挙げられる。本実施形態では、工具本体１０の作動部１８を、針（ステープル）及び釘のうちの一方としてのステープルを打ち出す構成としている。つまり、工具本体１０は、いわゆるエアタッカーとされている。
この工具本体１０は、図２に示すように、一方向に軸方向を沿わせた略柱状の握り部（グリップ）１１の軸方向基端部（小指側端部、グリップエンド）に、軸方向に沿って突出させるように接続部１３を設けた構成とされている。この接続部１３としては、クイック継手（ワンタッチ継手）の雄側を構成するものでもよい。
【００１４】
また、工具本体１０は、握り部１１の軸方向先端部（親指側端部）に、作動部１８を内蔵する本体部１７を設けた構成とされている。この本体部１７は、ブロック状とされ、握り部１１の軸方向に対して略直交する方向の一方向に向けて突出するように設けられている。この本体部１７の突出方向先端部に、作動部１８の作動によってステープルを打ち出す射出口１８ａが設けられている。作動部１８としては、適宜、公知の構成とされたものの採用が可能であり、詳細な説明は省略するが、圧縮エアによって作動されるピストンやシリンダ、作動部１８に供給されるステープルを打ち出す打撃部などを備えた構成とされたものでもよい。また、本体部１７には、ステープルを打ち出す際に操作されるトリガー１６が設けられている。このトリガー１６は、本体部１７と握り部１１の先端部との入隅部に位置するように設けられている。また、本体部１７には、トリガー１６の操作を不能とするロックレバーが設けられている。
【００１５】
また、工具本体１０には、多数のステープルを収容し、作動部１８に向けてステープルを供給するマガジン１９が設けられている。マガジン１９は、握り部１１の軸方向に概ね軸方向を沿わせた長尺状とされ、握り部１１と略平行状に設けられている。このマガジン１９の一端部は、本体部１７の先端部に連結されている。また、マガジン１９の他端部は、握り部１１の基端部から本体部１７と略同方向に向けて突出するように設けられた保持部（ステー）１４に保持されている。保持部１４には、マガジン１９内にステープルを装填する際に操作されるレバー１５が設けられている。
【００１６】
補助パイプ部材２０は、図１及び図２に示すように、長手方向第１端部に、工具本体１０の接続部１３に接続される被接続部２２を設け、長手方向第２端部に、エア供給管路２が接続される管路接続部２３を設けた構成とされている。また、補助パイプ部材２０は、管路接続部２３が握り部１１よりも先側に配された状態で、途中部位を工具本体１０に固定する固定部２４を備えている。この補助パイプ部材２０は、筒状のパイプ本体部２１の長手方向途中部位を工具本体１０に固定し、管路接続部２３を握り部１１よりも先側となる本体部１７側に位置するように配置する構成とされている。つまりは、補助パイプ部材２０は、エア供給管路２が接続される部位を、工具本体１０の握り部１１の基端側から本体部１７側に移設する機能を有している。
【００１７】
パイプ本体部２１は、長手方向第１端部側が工具本体１０の接続部１３に被接続部２２を介して接続されている。また、パイプ本体部２１は、長手方向第２端部側部位が工具本体１０のマガジン１９の側方（打出方向に見てマガジン１９の軸方向に直交する方向の一側方）に沿うように固定部２４によって固定されている。このパイプ本体部２１は、可撓性を有したホース（チューブ）でもよく、把持した際にもエアの流通が可能な適度な剛性を有したものでもよい。図例では、パイプ本体部２１を、被接続部２２に連結された長手方向第１端部から握り部１１の軸方向に沿って突出させ、マガジン１９側に向けて湾曲状に屈曲させた例を示している。このパイプ本体部２１は、作業性の観点等から工具本体１０の周囲に大きく突出したり、垂れ下がったりしないように、適宜の長さとされている。
また、このパイプ本体部２１の長手方向第１端部に連結された被接続部２２としては、工具本体１０の接続部１３に応じて適宜の構成とされたものでもよく、クイック継手（ワンタッチ継手）の雌側を構成するものでもよい。図例では、被接続部２２を、パイプ本体部２１の長手方向に軸方向を沿わせた略柱状とされたものとした例を示しているが、エルボ状（略Ｌ字状）に屈曲されたものでもよい。なお、接続部１３及び被接続部２２としては、クイック継手の雄部及び雌部を構成するものに限られず、雄ねじ部及び雌ねじ部を構成するものや、その他、種々の構成とされたものでもよい。
【００１８】
また、パイプ本体部２１の長手方向第２端部には、管路接続部２３が連結されている。
本実施形態では、この管路接続部２３を、工具本体１０の本体部１７の射出口１８ａ側部位の側方に位置するように設けた構成としている。また、この管路接続部２３を、射出口１８ａからの打出方向に沿う方向で打出方向逆側（反打出側）に向けて開口させた構成としている。このような構成とすれば、図１（ｂ）に示すように、エア供給管路２が上方側から垂れ下がるように配されている場合には、管路接続部２３に接続されたエア供給管路２が本体部１７の側方において打出方向逆側に向けて延びるように配されることとなる。
この管路接続部２３としては、工具本体１０の接続部１３と概ね同様、クイック継手（ワンタッチ継手）の雄側を構成するものでもよく、上記同様、種々の構成とされたものでもよい。また、図例では、エルボ状（略Ｌ字状）に屈曲されたものとした例を示しているが、パイプ本体部２１の長手方向に軸方向を沿わせた略柱状とされたものでもよい。
【００１９】
なお、管路接続部２３は、後記する第２実施形態のように、握り部１１の軸方向に沿う方向で先側に向けて開口するように設けられていてもよい。また、図例では、パイプ本体部２１を、第１端部から第２端部まで単一の筒状部材からなるものとした例を示しているが、このような態様に限られない。例えば、パイプ本体部２１を、屈曲部を構成するエルボ状（略Ｌ字状）の継手を介して複数の筒状部材を接続して構成されたものとしてもよい。この場合は、工具本体１０の適所に、屈曲部の移動を規制する規制部や屈曲部を保持する保持部等を設けた構成としてもよい。
【００２０】
固定部２４は、本実施形態では、パイプ本体部２１の途中部位に取り付けられるパイプ側取付部２５と、工具本体１０に取り付けられる工具側取付部２６と、を備えている。また、本実施形態では、固定部２４は、パイプ本体部２１の途中部位を、工具本体１０のマガジン１９に固定する構成とされている。この固定部２４のパイプ側取付部２５は、パイプ本体部２１が挿通される挿通孔を設けた構成とされている。なお、パイプ側取付部２５としては、パイプ本体部２１に対して着脱可能とされたものでもよく、また、パイプ本体部２１が挿通される挿通孔を設けた環状（閉環状）とされたものに限られず、略Ｃ字状（開環状）とされたものでもよい。また、パイプ側取付部２５としては、紐（バンド）状部の一端に、紐状部をロックするロック部を設けた結束紐（結束バンド）や、表裏の一方面にフック部を設け、他方面にループ部を設けた面ファスナーバンドでもよく、その他、種々の構成とされたものでもよい。
【００２１】
工具側取付部２６は、パイプ側取付部２５に連結部を介して連結されており、パイプ側取付部２５と概ね同様、工具本体１０のマガジン１９が挿通される挿通孔を設けた構成とされている。この工具側取付部２６としては、パイプ側取付部２５と同様、種々の構成とされたものの採用が可能であるがマガジン１９に対して着脱可能とされたものが好ましい。
また、本実施形態では、パイプ本体部２１及びマガジン１９の長手方向に間隔を空けて複数（図例では、２つ）の固定部２４，２４を設けた構成としている。なお、パイプ本体部２１を工具本体１０のマガジン１９に固定する態様に代えて、または加えて、パイプ本体部２１を保持部１４や本体部１７に固定するように固定部２４を設けた態様等としてもよい。
【００２２】
本実施形態に係る補助パイプ部材２０及びこれを備えたエア工具１は、上述のような構成としたことで、エア供給管路２が上方側から垂れ下がるように配される場合における作業性を向上させることができる。
つまり、管路接続部２３が握り部１１よりも先側に配された状態で、当該補助パイプ部材２０の途中部位を工具本体１０に固定する固定部２４を設けた構成としている。従って、工具本体１０の握り部１１の基端側の接続部１３に、補助パイプ部材２０の被接続部２２を接続し、途中部位を工具本体１０に固定することで、管路接続部２３を握り部１１よりも先側に位置するように設けることができる。これにより、握り部１１よりも先側、つまり、作動部１８が設けられた側に位置する管路接続部２３にエア供給管路２を接続することができる。この結果、エア供給管路２が上方側から垂れ下がるように配される場合にも、エア供給管路２が握り部１１の基端側において上方側に引き上げられてエア供給管路２が邪魔になるようなことがなく、作業性を向上させることができる。
【００２３】
また、本実施形態では、補助パイプ部材２０を工具本体１０のマガジン１９に沿わせるように設けた構成としている。従って、後記する第３実施形態のように補助パイプ部材２０を工具本体１０の握り部１１に沿わせるように設けたものと比べて、握り部１１の把持性が低下するようなことを抑制することができる。
【００２４】
次に、本発明に係る他の実施形態について、図面を参照しながら説明する。
なお、以下の各実施形態では、先に説明した実施形態との相違点について主に説明し、同様の構成については、同一の符号を付し、その説明を省略または簡略に説明する。
【００２５】
図３は、第２実施形態に係るエア工具の一例を模式的に示す図である。
本実施形態に係るエア工具１Ａは、管路接続部２３を、工具本体１０の本体部１７の握り部１１側部位に位置するように設けた構成とされている。また、パイプ本体部２１を、本体部１７の射出口１８ａ側部位の側方から更に本体部１７の握り部１１側部位の側方に向けて延びるように設け、その第２端部に管路接続部２３を設けた態様としている。また、管路接続部２３を、握り部１１の軸方向に沿う方向で先側に向けて開口するように設けた構成としている。
このような構成とされた本実施形態に係るエア工具１Ａにおいても上記第１実施形態と概ね同様の効果を奏する。なお、パイプ本体部２１の本体部１７の側方に沿うように設けられた部位や管路接続部２３近傍部位を本体部１７に固定する固定部を設けた構成としてもよい。また、上記第１実施形態と同様、反打出側に向けて開口するように管路接続部２３を設けた構成としてもよい。また、後記する第３実施形態のように、補助パイプ部材２０のパイプ本体部２１を工具本体１０の握り部１１等に沿わせるように設けた構成としてもよい。
【００２６】
図４及び図５は、第３実施形態に係るエア工具の一例を模式的に示す図である。
本実施形態に係るエア工具１Ｂは、工具本体１０に対する補助パイプ部材２０の固定位置が異なる。本実施形態では、補助パイプ部材２０のパイプ本体部２１の長手方向途中部位を、工具本体１０の握り部１１に沿わせるように設けた構成としている。また、パイプ本体部２１の長手方向途中部位を、握り部１１の上面側（反マガジン１９側）に沿わせるように設けた構成としている。また、固定部２４，２４の工具側取付部２６，２６を、握り部１１に取り付けた構成としている。また、管路接続部２３が工具本体１０の本体部１７の上面側（反打出側）に位置するように補助パイプ部材２０を設けた構成としている。また、上記第１実施形態と同様、反打出側に向けて開口するように管路接続部２３を設けた構成としている。
【００２７】
上記構成とされた本実施形態に係るエア工具１Ｂにおいても上記第１実施形態と概ね同様の効果を奏する。
なお、本実施形態においては、握り部１１に沿わせられたパイプ本体部２１が握り部１１とともに把持されるので、パイプ本体部２１の少なくとも握り部１１に沿わせられた部位を、適度な剛性を有したものとしたり、補強カバー等の補強部材を設けたりしてもよい。また、上記のような態様に代えて、パイプ本体部２１の長手方向途中部位を握り部１１の側方に沿わせるように設けた構成としてもよい。この場合、握り部１１とパイプ本体部２１との間に手指の差込スペースが形成されるように、パイプ本体部２１の途中部位を握り部１１に固定部２４によって固定したような態様等としてもよい。
【００２８】
図６及び図７は、第４実施形態に係るエア工具の一例を模式的に示す図である。
本実施形態に係るエア工具１Ｃは、固定部２４Ａの態様が上記各実施形態とは主に異なる。本実施形態では、固定部２４Ａは、補助パイプ部材２０Ａ及び工具本体１０Ａのうちの一方に設けられた磁石２６Ａと、他方に設けられた吸着部１２と、を備えている。本実施形態では、補助パイプ部材２０Ａ及び工具本体１０Ａのうちの一方としての補助パイプ部材２０Ａに磁石２６Ａを設け、他方としての工具本体１０Ａに、磁石２６Ａに吸着される吸着部１２を設けた構成としている。
【００２９】
また、上記第３実施形態と同様、補助パイプ部材２０Ａのパイプ本体部２１の途中部位を握り部１１Ａの上面側に沿わせるように設けた構成としている。つまり、固定部２４Ａを構成する吸着部１２を握り部１１Ａの上面側に設けた構成としている。この吸着部１２としては、工具本体１０Ａの握り部１１Ａが鉄等の強磁性体である場合には、握り部１１Ａの上面部自体としてもよく、または、握り部１１Ａの上面に貼着されたシート状の強磁性体でもよく、さらには、シート状磁石でもよい。図例では、シート状の吸着部１２を、突湾曲面状とされた握り部１１Ａの上面に沿わせるように貼着した例を示している。また、握り部１１Ａの軸方向に沿って延びるように長尺状とされた吸着部１２を設けた構成としている。
【００３０】
固定部２４Ａの磁石２６Ａは、吸着部１２に応じた構成とされ、パイプ本体部２１の長手方向に沿って延びるように長尺状とされている。また、磁石２６Ａは、突湾曲面状とされた吸着部１２に対応させて吸着部１２に向く側が凹湾曲面状とされている。この磁石２６Ａは、取付部２５Ａを介してパイプ本体部２１に取り付けられている。このような取付部２５Ａとしては、粘着テープ等でもよい。
上記構成とされた本実施形態に係る補助パイプ部材２０Ａ及びこれを備えたエア工具１Ｃにおいても上記第１実施形態と概ね同様の効果を奏する。また、本実施形態では、固定部２４Ａを上記のような構成としたことで、補助パイプ部材２０Ａの途中部位を工具本体１０Ａに対して容易に固定することができ、また、工具本体１０Ａから容易に取り外すことができる。
【００３１】
なお、本実施形態では、固定部２４Ａの磁石２６Ａ及び吸着部１２を長尺状とした例を示しているが、パイプ本体部２１の長手方向に沿って間隔を空けて複数箇所に設けられる短尺状とされたものでもよい。また、パイプ本体部２１を握り部１１Ａの上面側に沿わせるように固定部２４Ａの磁石２６Ａ及び吸着部１２を設けた例を示しているが、このような態様に限られない。握り部１１Ａの側方やマガジン１９の側方にパイプ本体部２１を沿わせるように固定部２４Ａの磁石２６Ａ及び吸着部１２を設けた構成等としてもよく、その他、種々の変形が可能である。
また、パイプ本体部２１の途中部位を工具本体１０，１０Ａに固定する固定部２４，２４Ａとしては、上記各実施形態において説明したような構成とされたものに限られず、種々の構成とされたものでもよい。
【００３２】
図８は、第５実施形態に係るエア工具の一例を模式的に示す図である。
本実施形態に係るエア工具１Ｄは、握り部１１Ｂと、この握り部１１Ｂの先側に設けられエア駆動される作動部１８を有した本体部１７Ａと、を備えている。また、このエア工具１Ｄは、本体部１７Ａに、エア供給管路２が接続される接続部１３Ａを握り部１１Ｂよりも先側に位置するように設けた構成とされている。つまり、本実施形態では、補助パイプ部材を設けた態様に代えて、接続部１３Ａ自体を本体部１７Ａに設けた構成としている。つまりは、握り部１１Ｂの基端側に接続部を設けた態様に代えて、握り部１１Ｂの先側となる本体部１７Ａに接続部１３Ａを設けた構成としている。
【００３３】
また、本実施形態では、接続部１３Ａは、作動部１８の打出方向逆側に位置するように設けられている。つまり、本体部１７Ａの上面１７ａ側に接続部１３Ａを設けた構成としている。図例では、本体部１７Ａの上面１７ａから突出させるように接続部１３Ａを設けた構成としている。また、接続部１３Ａを、反打出側に向けて開口させるように設けた構成としている。なお、このような態様に代えて、接続部１３Ａを、本体部１７Ａの上面１７ａ側において側方や握り部１１Ｂの軸方向先側に向けて開口するように設けた構成としてもよい。
【００３４】
上記構成とされた本実施形態に係るエア工具１Ｄにおいても上記第１実施形態と概ね同様の効果を奏する。また、本体部１７Ａに接続部１３Ａを設けた構成としているので、補助パイプ部材が邪魔になるようなことがなく、より作業性を向上させることができる。
また、本実施形態では、作動部１８の打出方向逆側に位置するように接続部１３Ａを設けた構成としている。従って、本体部１７Ａの側面等に接続部１３Ａを設けたものと比べて、作動部１８の射出口１８ａから打ち出される針または釘の視認性がエア供給管路２によって阻害されるようなことを抑制することができる。なお、このような態様に代えて、本体部１７Ａの側面や本体部１７Ａにおける握り部１１Ｂの軸方向先側面等に接続部１３Ａを設けた態様等としてもよい。
【００３５】
また、上記各実施形態において説明した互いに異なる構成の一部を組み替えたり、組み合わせたりして適用するようにしてもよい。
また、上記した工具本体１０，１０Ａ及び補助パイプ部材２０，２０Ａ並びにエア工具１Ｄの各部の具体的構成は、一例に過ぎず、種々の変形が可能である。
また、上記した各実施形態では、工具本体１０，１０Ａ及びエア工具１Ｄを、針または釘を打ち出す打出機（打込機）とした例を示しているが、このような態様に限られない。工具本体１０，１０Ａ及びエア工具１Ｄを、エアドライバーや切削機、研磨機等を構成するものとしてもよく、その他、種々の工具を構成するものとしてもよい。
【符号の説明】
【００３６】
１，１Ａ〜１Ｄ        エア工具
１０，１０Ａ          工具本体
１１，１１Ａ，１１Ｂ  握り部
１２                  吸着部
１３                  接続部（握り部の基端側に設けられた接続部）
１３Ａ                接続部（握り部よりも先側に位置する接続部）
１７Ａ                本体部
１８                  作動部
２０，２０Ａ          補助パイプ部材
２２                  被接続部
２３                  管路接続部
２４，２４Ａ          固定部
２６Ａ                磁石
２                    エア供給管路
【図１】
2019018302.tif 000003
【図２】
2019018302.tif 000004
【図３】
2019018302.tif 000005
【図４】
2019018302.tif 000006
【図５】
2019018302.tif 000007
【図６】
2019018302.tif 000008
【図７】
2019018302.tif 000009
【図８】
2019018302.tif 000010